(57)【特許請求の範囲】
【請求項１】
キャビネットと、
前記キャビネット内に収納された映像源と、
前記映像源からの投射光が投射されるスクリーンと、
前記スクリーンの前面に配置されるシールド板と、
前記スクリーンと前記シールド板とを前記キャビネット前面に固定するためのスクリーンフレームと
を有し、
前記スクリーンフレームは、
平面部、この平面部に対してほぼ直角に前記スクリーンの端部が挿入される第１の溝部、及びこの第１の溝部の前方に位置する壁面を有し、前記平面部と前記第１の溝部と前記壁面とが一体に形成されており、前記キャビネット前面に取り付けられるフレーム本体と、
このフレーム本体の前記壁面に前記シールド板を押当てた状態で固定する固定部材と
を有することを特徴とするプロジェクションテレビ。
【請求項２】
前記スクリーンは、フレネルレンズとレンチキュラーレンズを張り合わせて成ることを特徴とする請求項１に記載のプロジェクションテレビ。
【請求項３】
プロジェクションテレビのスクリーンをシールド板とともにキャビネット前面に固定するためのスクリーンフレームにおいて、
平面部、この平面部に対してほぼ直角に前記スクリーンの端部が挿入される第１の溝部、及びこの第１の溝部の前方に位置する壁面を有し、前記平面部と前記第１の溝部と前記壁面とが一体に形成されており、前記キャビネット前面に取り付けられるフレーム本体と、
このフレーム本体の前記壁面に前記シールド板を押当てた状態で固定する固定部材とを備えたことを特徴とするスクリーンフレーム。
【請求項４】
プロジェクションテレビのスクリーンをシールド板とともにキャビネット前面に固定するためのスクリーンフレームにおいて、
平面部、この平面部に対してほぼ直角に前記スクリーンの端部が挿入される第１の溝部、及びこの第１の溝部の前方に位置する壁面を有し、前記キャビネット前面に取り付けられるフレーム本体と、
このフレーム本体の前記壁面に前記シールド板を押当てた状態で固定する固定部材とを備え、
前記フレーム本体は、さらに前記固定部材が挿脱自在に形成された第２の溝部を備え、
前記固定部材を前記第２の溝部に挿入することによって、前記シールド板を前記フレーム本体に固定するようにしたことを特徴とするスクリーンフレーム。
【請求項５】
前記固定部材は、前記第２の溝部と接続する前記フレーム本体の前面部の斜面部に連続する斜面部を備えたことを特徴とする請求項４に記載のスクリーンフレーム。
【請求項６】
前記シールド板を前記フレーム本体から除去した場合に前記フレーム本体の壁面を前記固定部材によって覆い隠すようにしたことを特徴とする請求項４に記載のスクリーンフレーム。
【請求項７】
前記第２の溝部は、フレーム本体の平面部に直角方向に形成され、
前記固定部材は、互いに直交する方向に突起して、それぞれが前記第２の溝部に嵌合可能な第１、及び第２の突起部を備え、
前記第１、及び第２の突起部は、前記第２の溝部に弾性的に嵌合し得るものであり、前記第１の突起部はその先端と前記壁面との間に前記シールド板の端部を挟持し得るものであることを特徴とする請求項４、５又は６のいずれかに記載のスクリーンフレーム。
【発明の詳細な説明】
【０００１】
【発明の属する技術分野】
この発明は、背面透過型のプロジェクションテレビ、及びプロジェクションテレビのキャビネットにスクリーンとともにスクリーン保護用の前面板（シールド板）を固定するためのスクリーンフレームに関する。
【０００２】
【従来の技術】
図４は、背面透過型のプロジェクションテレビを示す断面図である。図において、キャビネット１の背面にはバックカバー８が設けられ、キャビネット１の前面の開口部１ａには、フレネルレンズ３とレンチキュラーレンズ４から構成されるスクリーン２が設けられている。６はスクリーン２をキャビネット１の前面開口部１ａで保持するスクリーン枠であって、以下、これをスクリーンフレームという。また、キャビネット１内には映像源として投写形ＣＲＴ１ｂが配置されており、そこから投写される投写光を、投写レンズ１ｃを介して拡大し反射ミラ−７に当てて反射させ、反射させた投写光をスクリーン２の背面２ｂに投影している。観察者９はスクリーン２の背面２ｂに投影された透過映像を前面２ａ側から観察することができる。
【０００３】
上記フレネルレンズ３は、その背面（映像源側）は平面であるが前面は同心円状のフレネル面をなす。レンチキュラーレンズ４は、その背面に円弧状の凸曲面を有し、前面（観察者）に台形状凸部の頂面が黒色に塗布されて形成されたブラックストライプ面を有する。これらフレネルレンズ３とレンチキュラーレンズ４とは、いずれもアクリル系樹脂材からなり、両者の密着性を高めるため各々に一定曲率の反りが付与されている。また、レンチキュラーレンズ４はフレネルレンズ３に比して薄く、かつ外形寸法が僅かに小さい形状となっている。
【０００４】
【発明が解決しようとする課題】
上述した従来の背面透過型プロジェクションテレビでは、スクリーン２がスクリーンフレーム６に取り付けられた場合において、観察者側にあるスクリーン面（レンチキュラーレンズ４）は手で触れられる状態にあるため、汚れや傷つきにより清掃や取り替えなどの必要が生じやすい。そのため、顧客、販売店等より改善を求める要求があった。また、スクリーン面上の傷の発生は画像への影響も大きく、プロジェクションテレビ自体の品質低下をもたらすという問題があった。さらに、スクリーン自体の価格も高いので、その交換を行う場合には、交換費用・部品費用などによってプロジェクションテレビの維持コストが高くなるという問題点もあった。
【０００５】
そこで、スクリーン表面の汚損や損傷等の防止のため、プロジェクションテレビのスクリーンの前面に、粘着テープや布製の所謂マジックテープ（商標名）などを用いて透明なプラスチック板（以下、シールド板という）を取り付けることがある。このように粘着テープや布製のマジックテープを用いて、スクリーンの前面にシールド板を取り付けているので、スクリーン前面の美観が損われやすい。また、大型のプロジェクションテレビでは、シールド板自体の重量も大きくなることから、外部からの振動によってシールド板が脱落する危険があって、安全性を保持できないという問題があった。
【０００６】
この発明は、上述のような課題を解決するためになされたもので、第１の目的は、スクリーンの前面でスクリーン枠体からシールド板を着脱自在とする構造を有するプロジェクションテレビを提供することである。
【０００７】
第２の目的は、シールド板を着脱可能な構造にするとともに、シールド板に対する保持能力が十分なスクリーンフレームを提供することである。
【０００８】
第３の目的は、プロジェクションテレビにシールド板を取り付けた場合は勿論、取り付けていない状態でも、美観を損ねないように構成されたスクリーンフレームを提供することである。
【０００９】
この発明に係るプロジェクションテレビは、キャビネットと、前記キャビネット内に収納された映像源と、前記映像源からの投射光が投射されるスクリーンと、前記スクリーンの前面に配置されるシールド板と、前記スクリーンと前記シールド板とを前記キャビネット前面に固定するためのスクリーンフレームとを有し、前記スクリーンフレームは、平面部、この平面部に対してほぼ直角に前記スクリーンの端部が挿入される第１の溝部、及びこの第１の溝部の前方に位置する壁面を有し、前記平面部と前記第１の溝部と前記壁面とが一体に形成されており、前記キャビネット前面に取り付けられるフレーム本体と、このフレーム本体の前記壁面に前記シールド板を押当てた状態で固定する固定部材とを有するものである。
【００１０】
スクリーンは、フレネルレンズとレンチキュラーレンズを張り合わせて成るものであってもよい。
【００１１】
この発明に係るスクリーンフレームは、プロジェクションテレビのスクリーンをシールド板とともにキャビネット前面に固定するためのスクリーンフレームにおいて、平面部、この平面部に対してほぼ直角に前記スクリーンの端部が挿入される第１の溝部、及びこの第１の溝部の前方に位置する壁面を有し、前記平面部と前記第１の溝部と前記壁面とが一体に形成されており、前記キャビネット前面に取り付けられるフレーム本体と、このフレーム本体の前記壁面に前記シールド板を押当てた状態で固定する固定部材とを備えたものである。
【００１２】
この発明に係るスクリーンフレームは、プロジェクションテレビのスクリーンをシールド板とともにキャビネット前面に固定するためのスクリーンフレームにおいて、平面部、この平面部に対してほぼ直角に前記スクリーンの端部が挿入される第１の溝部、及びこの第１の溝部の前方に位置する壁面を有し、前記キャビネット前面に取り付けられるフレーム本体と、このフレーム本体の前記壁面に前記シールド板を押当てた状態で固定する固定部材とを備え、前記フレーム本体は、さらに前記固定部材が挿脱自在に形成された第２の溝部を備え、前記固定部材を前記第２の溝部に挿入することによって、前記シールド板を前記フレーム本体に固定するものである。
【００１３】
また、この発明に係るスクリーンフレームでは、固定部材は、前記第２の溝部と接続する前記フレーム本体の前面部の斜面部に連続する斜面部を備えたものである。
【００１４】
シールド板を前記フレーム本体から除去した場合に前記フレーム本体の壁面を前記固定部材によって覆い隠すようにしてもよい。
【００１５】
また、第２の溝部は、フレーム本体の平面部に直角方向に形成され、固定部材は、互いに直交する方向に突起して、それぞれが前記第２の溝部に嵌合可能な第１、及び第２の突起部を備え、前記第１、及び第２の突起部は、前記第２の溝部に弾性的に嵌合し得るものであり、前記第１の突起部はその先端と前記壁面との間に前記シールド板の端部を挟持し得るものであってもよい。
【００１６】
【発明の実施の形態】
以下、添付した図面を参照して、この発明の実施の形態を説明する。
【００１７】
実施の形態１．
図１は、背面透過型プロジェクションテレビを側面から見た場合のこの発明の実施の形態であるスクリーンフレームを示す断面図である。図２は、この発明の背面透過型プロジェクションテレビを示す斜視図である。図３は、背面透過型のプロジェクションテレビを示す正面図である。
【００１８】
図１（Ａ）及び（Ｂ）に示すように、この実施の形態のスクリーンフレーム６は、フレーム本体６０と４本の固定具１０を含む。４本の固定具１０は、それぞれフレームの上下左右の縁に沿って延びたものであり、図１にはそのうち、上縁に沿って延びたもののみを示している。図１（Ａ）は、フレーム本体６０に、フレネルレンズ３とレンチキュラーレンズ４とを張り合わせたスクリーン２を取り付け、その前面に装着されたシールド板５を固定具１０によって保持している状態を示している。同図（Ｂ）は、シールド板５を取りはずした状態のスクリーンフレーム本体６０及び固定具１０を示している。
【００１９】
フレーム本体６０は、キャビネット前面の開口部１ａに取り付けられ、キャビネットの天板に対して水平な平面部６１と、垂直面部６２ａ及びその内側に設けられた斜面部６２ｂを有するフレーム前面部６２とを有する。斜面部６２ｂは、垂直面部６２ａに対し４５゜の角度をなす。フレーム本体６０は、さらに固定具１０を挿入するための第２の溝部６３と、この第２の溝部６３に挿入される固定具１０と係合する突出部６４と、第２の溝部６３の後方で所定距離だけ離間した位置に形成される壁面６５と、スクリーン２の端面が挿入される第１の溝部６６と、フレーム本体６０をキャビネットの前面開口部１ａに固定するための係合突起６７とを備えている。
【００２０】
固定具１０は、フレーム前面部６２の斜面部６２ｂに連続する斜面部１１と、この斜面部１１から互いに直交する２方向に突起して、フレーム本体６０に形成された第２の溝部６３に嵌合可能な第１、及び第２の突起部１２、１３とを備えている。ここで、短い突起部１２の長さをａ、シールド板５の厚みをｂ、第２の溝部６３の深さをｃ、第２の突起部１３の長さをｄとするとき、ａ＋ｂ≦ｃ、ｄ＝ａ＋ｂという関係が成り立っている。そして、これら突起部１２、１３は、第２の溝部６３内で弾性的に嵌合するように、それぞれ先端部がＵ字状をなしている。すなわち、図１（Ａ）に示すように、第２の溝部６３の深さｃは第２の突起部１３の長さｄと等しいか、或いはそれより最大で１mm程度大きく形成され（ｃ≧ｄ）、したがって、また第１の突起部１２は第２の突起部１３よりシールド板５の厚み分だけ短く形成されている。スクリーンの大きさが４５〜８０インチである場合の一例としては、ａ＝１０mm，ｂ＝２．５mm，ｃ＝１３．５mmとなる。
【００２１】
次に、上記構成のスクリーンフレームの動作について説明する。
【００２２】
まず、スクリーンフレーム６は、従来のものと同様に、フレネルレンズ３とレンチキュラーレンズ４の２枚を張り合わせたスクリーン２を第１の溝部６６に挟み込んでから、プロジェクションテレビのキャビネット１にはめ込まれる。これによって、スクリーン２が前面開口部１ａから所定の距離に固定される。その後に、フレーム本体６０の壁面６５に、スクリーン２の前面からプラスチックのシールド板５を押当て、その状態で固定具１０によって以下のように固定する。
【００２３】
スクリーンフレーム６のフレーム本体６０には、固定具１０の突起部１２、１３が挿入可能な幅と深さを有する第２の溝部６３が形成されているため、図１（Ａ）に示すように、この溝部６３に固定具１０の突起部１３を挿入することができる。すなわち、フレーム本体６０からいったん固定具１０を取り外し、シールド板５を挿入して、シールド板５を壁面６５に押当てた状態で固定具１０を再び挿入してシールド板５をフレーム本体６０に固定する。このとき、突起部１３を第２の溝部６３に挿入し、突起部１２をシールド板５に当接させている。
【００２４】
シールド板５を外した状態で固定具１０を取り付けておくときには、同図（Ｂ）に示すように、第１の突起部１２を第２の溝部６３に挿入して、第２の突起部１３によってフレーム本体６０の壁面６５を覆い隠すようにしている。シールド板５を外した後に、固定具１０を図１（Ａ）と同じ状態で挿入すると、フレーム本体６０の壁面６５が一部露出する形となり、意匠的な美観が損われるためである。
【００２５】
このように、固定具１０によりシールド板５をフレーム本体６０に固定するには、その斜面部１１に力を加えて、固定具１０の突起部１３を溝部６３に押込みながら、シールド板５を壁面６５に押し当てる。この場合に、斜面部１１に加えられた力は、突起部１２、１３に対して分力として均等に加わることになり、無駄な力を要しない（図１（Ａ）参照）。また、シールド板５を外した状態で固定具１０を取り付ける場合でも、固定具１０の斜面部１１を使用して、フレーム本体６０への挿入を容易に行える（図１（Ｂ）参照）。しかも、図１（Ａ）の状態、或いは図１（Ｂ）の状態のいずれも、固定具１１の突起部１２、１３が突出部６４に当接するから、固定具１０の斜面部１１がフレーム前面部６２の斜面部６２ｂと同一の位置関係になって連続するので、フレーム全体としての一体感のある形状を保ち、外観上も見栄えが良く、スクリーン２の傷を防ぎ、外観上の高級感を与える。
【００２６】
さらに、この固定具１０の突起部１２、１３は、それぞれ先端をＵ字状に曲げて、第２の溝部６３内で弾性的に嵌合するように構成していることにより、固定具１０の取り付け強度が十分であり、しかも、固定具１０の挿入動作も円滑に行うことができる。これにより、キャビネット１に対する外部からの振動によりシールド板５が落下しようとする力が作用しても、固定具１０によって落下を防止できると同時に、固定具１０自身がフレーム本体６０の第２の溝部６３から抜けることも防止できる。
【００２７】
このように、固定具１０の突起部１２の弾性的係合によってシールド板５をフレーム本体６０にしっかりと保持し、固定具１０自体も突起部１３（図１（Ａ））、又は突起部１２（図１（Ｂ））によって溝部６３に弾性的に嵌合するようにしたので、ねじ等の別部品を必要とせず、スクリーンフレーム６の構成が簡単になる利点がある。
【００２８】
なお、フレーム本体６０は、アルミニウムの押し出し品、或いはプラスチック材料による押し出し成形品である。同様に、固定具１０の材質についても、１種類のプラスチック材料の押し出し成形により簡便に製造できるが、２種類の材料で製造することも考えられる。例えば突起部１２、１３には一定の弾性を有する軟質のプラスチックを、反対に力が作用する斜面部１１には硬質のプラスチックを用いることが好ましいからである。
【００２９】
以上に説明したプロジェクションテレビ１では、スクリーン２にフレネルレンズ３とレンチキュラーレンズ４を張り合わせて成るものを使用した場合であるが、他の種類のスクリーンを使用する場合にも、上述した実施の形態と同様に、その表面を保護するシールド板を設けることができる。
【００３０】
【発明の効果】
この発明は、以上に説明したように構成されているので、以下に示すような効果を奏する。
【００３１】
請求項１に係るプロジェクションテレビによれば、スクリーンフレームによって、スクリーンのさらに前面側にシールド板を取り付けるようにしたので、簡単にスクリーン表面の汚損や損傷等から防護でき、シールド板がフィルタとして機能する場合には、観察者の目に与える影響を抑制できる。また、シールド板の交換・取り付け・取り外しの作業を簡単に行なえるようになる。
【００３２】
請求項２に係るプロジェクションテレビによれば、シールド板をフレネルレンズとレンチキュラーレンズが張り合わされたスクリーンと一体にして、スクリーンフレームによって保持することができ、ねじ等の別部品を用いることなく、コンパクトなスクリーンを構成できる。
【００３３】
請求項３に係るスクリーンフレームによれば、シールド板を脱着可能な構造にするとともに、シールド板を十分な保持能力をもって固定できる。
【００３４】
請求項４に係るスクリーンフレームによれば、挿脱自在の固定部材によってシールド板を保持しているので、シールド板を簡単に交換できる。
【００３５】
請求項５に係るスクリーンフレームによれば、固定部材の斜面がフレーム本体の斜面に連続しているので、美観上好適である。
【００３６】
請求項６に係るスクリーンフレームによれば、シールド板を取り付けていない状態でも、意匠的な美観を損わない。
【００３７】
請求項７に係るスクリーンフレームによれば、固定部材が溝部内で係合突起と弾性的に嵌合するように構成したので、シールド板を固定する強度が高くなり、しかもシールド板を取り付ける際の固定部材の挿入作業が容易になり、取り付けの信頼性や作業性の向上が計れる。
【図面の簡単な説明】
【図１】  この発明の実施の形態を示すスクリーンフレームの断面図である。
【図２】  この発明の背面透過型プロジェクションテレビを示す斜視図である。
【図３】  この発明の背面透過型のプロジェクションテレビを示す正面図である。
【図４】  背面透過型のプロジェクションテレビを示す断面図である。
【符号の説明】
１  キャビネット、  ｌａ  前面開口部、  １ｂ  投写型ＣＲＴ、  １ｃ  投写レンズ、  ２  スクリーン、  ３  フレネルレンズ、  ４  レンチキュラーレンズ、  ５  シールド板、  ６  スクリーンフレーム、  ７  反射ミラー、  ８バックカバー、  ９  観察者、  １０  固定具、  １１  斜面部、  １２，１３  突起部、  ６０  フレーム本体、  ６１  平面部、  ６２  フレーム前面部、  ６３  第２の溝部、  ６４  突出部、  ６５  壁面、  ６６  第１の溝部、６７  係合突起。
【図１】
0003804720.tif 000002
【図２】
0003804720.tif 000003
【図３】
0003804720.tif 000004
【図４】
0003804720.tif 000005